(57)【要約】【課題】  髪の結束作業時や結束解除作業時において、容易に作業が可能であると共に、髪を束ねるのみではなく、装飾用としての効果が得られる髪止め具を提供することを目的とする。【解決手段】  中央部に髪を挿通するための小孔が設けられた、リング状の髪止め具であり、外周部分は硬質素材で形成され、中央の小孔部付近は軟質素材で形成されていることを特徴とする髪止め具とするものであり、この髪止め具の中央の小孔に髪を通すために、束ねた髪を細線状の紐に引っ掛け、紐の両端を合わせて、該小孔に通して反対側に髪とともに引き出し、髪を小孔に通し、該髪止め具の中央の軟質素材で締め付けて髪を止めることを特徴とする髪止め方法である。【選択図】  図１
2010240040.tif 000002
【特許請求の範囲】
【請求項１】
中央部に髪を挿通するための小孔が設けられた、リング状の髪止め具であり、外周部分は硬質素材で形成され、中央の小孔部付近は軟質素材で形成されていることを特徴とする髪止め具。
【請求項２】
前記の軟質素材が軟質樹脂材であることを特徴とする請求項１に記載の髪止め具。
【請求項３】
前記の軟質素材がゴム材であることを特徴とする請求項１に記載の髪止め具。
【請求項４】
前記の請求項１から請求項３までのいずれかの項に記載の髪止め具が取り付けられたことを特徴とするヘアピン。
【請求項５】
前記の髪止め具の中央の小孔に髪を通すために、束ねた髪を細線状の紐に引っ掛け、紐の両端を合わせて、該小孔に通して反対側に髪とともに引き出し、髪を小孔に通し、該髪止め具の中央の軟質素材で締め付けて髪を止めることを特徴とする髪止め方法。
【発明の詳細な説明】
【技術分野】
【０００１】
本発明は、頭髪を束ねるために用いられる髪止め具及びその髪止め方法に関する。
【背景技術】
【０００２】
従来より、髪を束ねたり、所定の髪型を維持するために、ヘアピンや輪ゴム等が広く使用されている。
【０００３】
また、これらのヘアピンや輪ゴム等は、ヘアアクセサリーの一つとして髪の装飾に活用されている。
【０００４】
例えば、ロングヘアーを束ねるには、輪ゴム等で髪を結束してポニーテール等にすることも一般に行われている。
【０００５】
しかしながら、輪ゴムで髪を結束する場合には、束ねた髪を輪ゴムに通し、輪ゴムを２〜３重に巻き付ける作業が必要であり、手間がかかるものであった。
【０００６】
このため、例えば、特許文献１では、ゴム紐の両端に対をなす係脱手段を取り付けたワンタッチで止めることができる髪止め具が提案されている。
【０００７】
この髪止め具では、ゴム紐に係脱手段を設けることで、ゴム紐を束ねた髪に２〜３重に巻き付けた後に、一対の係脱手段を連結させて髪を結束状態とするものである。
【０００８】
また、特許文献２では、樹脂及びゴム材の少なくとも一方からなる保護層で覆われた変形可能な金属棒部と、金属棒部の両端部に着脱自在に設けられた端部カバーと、を備え、これにより、ゴム紐のように収縮力を用いずに、金属棒部を手で曲げて髪を容易に束ねることができると共に、結束を解く際も手で金属棒部を伸ばして横から抜くだけで容易に取り外すことができるものである。
【先行技術文献】
【特許文献】
【０００９】
【特許文献１】特開平９−１２１９２８号公報
【特許文献２】特開２００６−２９６５１２号公報
【発明の概要】
【発明が解決しようとする課題】
【００１０】
従来の輪ゴムや髪止め具では、ゴムを束ねた髪に巻き付けるため、髪の結束作業時や結束を解いて輪ゴムやゴム紐を取り外す際に、ゴムの収縮力によって作業がし難いと共に、髪の毛が引っ張られる等、不快感を感じることが多いという問題があった。
【００１１】
また、輪ゴムや上記髪止め具等に装飾を施してヘアアクセサリーとして使用する場合、デザイン性に乏しく装飾効果が得難いと共に、デザインの変更が不可能で、多様なファッション性を得ることができないという問題があった。
【００１２】
特許文献２においては、ゴムの収縮による作業性の悪さは防止できるが、金属棒を曲げて髪を束ねることは、ゴムのような収縮力がないことがかえって取り扱いにくくなっており、力のない女性や子供などでは困難である。
【００１３】
また、ファッション性においても、金属棒を巻きつけることで形状は、決定され、ポニーテール用などの比較的大きなデザインには良いが、小さなポイント的な飾りを複数取り付けるようなデザインには向かず、多様なデザインには対応できない。
【００１４】
本発明は、前述の課題に鑑みてなされたもので、髪の結束作業時や結束解除作業時において、容易に作業が可能であると共に、髪を束ねるのみではなく、多様な装飾用としての効果が得られる髪止め具を提供することを目的とする。
【課題を解決するための手段】
【００１５】
本発明は上記の課題を解決するために、請求項１では、中央部に髪を挿通するための小孔が設けられた、リング状の髪止め具であり、外周部分は硬質素材で形成され、中央の小孔部付近は軟質素材で形成されていることを特徴とする髪止め具とするものである。
【００１６】
該小孔は、髪を通したときに、締め付けることができる程度の大きさの孔であればいずれでも良く、直径は、０．５〜１０ｍｍ程度でもよく、好ましくは、１〜５ｍｍ程度、さらに好ましくは、１〜３ｍｍ程度が良い。軟質素材にあけられているため、孔径は、押し広げられるので、束ねる髪の量により、適時、設定すると良い。
【００１７】
該リング状の髪止め具は、中央に髪を通すための小孔が設けられることにより、全体としては、リング形状となるものであればいずれでもよく、外形は、円形でも、楕円形でも、四角形などの多角形でも良い。
【００１８】
請求項２では、前記の軟質素材が軟質樹脂材であることを特徴とする髪止め具としたものである。
【００１９】
軟質樹脂材としては、弾性を有する樹脂材であればいずれでもよく、ビニール樹脂、シリコン樹脂、PVC（塩化ビニール）、TPO（オレフィン系エラストマー）、SBC（スチレン系エラストマー）、EVA（酢酸ビニル）、軟質エポキシ樹脂、軟質接着剤、軟質ポリウレタン、ナイロン樹脂、発砲スチロールなどでも良い。
【００２０】
請求項３では、前記の軟質素材がゴム材であることを特徴とする髪止め具としたものである。
【００２１】
ゴム材としては、弾性を有するゴム材であればいずれでもよく、天然ゴム、イソプレン ゴム（IR）、 スチレンブタジエン ゴム（SBR)、 ブタジエンゴム ゴム(BR)、クロロプレン ゴム（CR)、ニトリル ゴム（NBR)、ブチル ゴム（IIR)、エチレンプロピレン ゴム（EPDM)、ウレタン ゴム（AU、EU）、シリコン ゴム（VMQ,FVMQ）、アクリル ゴム（ACM)、クロルスルホン化ポリエチレン ゴム（CSM)、フッ素ゴム （FKM,FEPM,FFKM)、水素化ニトリル ゴム（HNBR)、エピクロルヒドリン ゴム（CO,ECO）、多硫化ゴムなどでも良い。
【００２２】
請求項４では、前記の請求項１から請求項３までのいずれかの項に記載の髪止め具が取り付けられたことを特徴とするヘアピンとしたものである。
【００２３】
該ヘアピンは、市販されているヘアピンでもよく、ヘアピンの一部に上記のリング状髪止め具を小型化して取り付けられたものでも良い。
【００２４】
請求項５では、前記の髪止め具の中央の小孔に髪を通すために、束ねた髪を細線状の紐に引っ掛け、紐の両端を合わせて、該小孔に通して反対側に髪とともに引き出し、髪を小孔に通し、該髪止め具の中央の軟質素材で締め付けて髪を止めることを特徴とする髪止め方法としたものである。
【００２５】
該細線状の紐は、小孔を簡単に通せる程度に細く、ある程度の硬さを有する線状のものである。小孔の直径の１／２以下のサイズの線が好ましい。針金やプラスチック製、紙製、布製など線材などでも良い。
【発明の効果】
【００２６】
本発明は以下の効果を奏する。
１）髪の結束作業時や結束解除作業時において、容易に作業ができる。
【００２７】
２）細い紐で髪を引っ掛けて、小孔に通すだけで結束ができるため、子供でも簡単に作業ができる。
【００２８】
３）髪を通す部分が軟質素材であるため、通した髪はしっかりと固定され抜けてしまうことがなく、安心して使用できる。
【００２９】
４）硬質素材の外周部分は自由な装飾が施せるので、装飾用としてもデザイン性の高い髪止め具を提供することが可能となる。
【００３０】
５）髪を通すリング形状であるため、小型にでき、髪を単に束ねるだけでなく、複数個使用して、おしゃれを演出できる。
【００３１】
６）ヘアピンと組み合わせることで、簡単に髪を止めることができ、装飾性を高めることができる。
【図面の簡単な説明】
【００３２】
【図１】本発明による髪止め具の実施例を示す図である。
【図２】本発明による髪止め具の髪止め動作を示す図である。
【図３】本発明による髪止め具の使用例を示す図である。
【図４】本発明による髪止め具の他の使用例を示す図である。
【発明を実施するための形態】
【００３３】
本発明の実施の形態について図面を用いて説明する。
図１は、本発明による髪止め具の実施例を示す図である。
【００３４】
（１）は、正面図であり、（２）は、底面図である。
【００３５】
本実施例は、硬質素材である外周部１は、硬質プラスチック製であり、中央の小孔部３の周辺部２は、シリコン樹脂製の髪止め具である。
【００３６】
また、外周部１の硬質樹脂材の形状は、上部１ａの幅が広く、下部１ｂの幅が狭くなっている独特のデザインとなっている。
【００３７】
小孔は直径２ｍｍとした。髪を束ねて通すと、直径が５ｍｍ程度に広がり、しっかりと締め付けられる。
【００３８】
また、この外周面にさまざまな装飾を施すことが可能である。例えば、ハートマークや花模様などを複数表示して、かわいらしいデザインとすることもできる。
【００３９】
図２は、本発明による髪止め具の髪止め動作を示す図である。
【００４０】
本発明の髪止め具は、図の（１）、（２）、（３）の順に操作することで簡単に髪止め具に髪を通すことができる。
【００４１】
（１）の動作
髪１２にプラスチック製の細線１１（細線状の紐）を引っ掛け、その細線１１の先端を合わせて、髪止め具１０の小孔１０ａに差込む。
【００４２】
（２）の動作
差し込んだ細線１１を引っ張り、髪１２を髪止め具１０の小孔１０ａ内に引き込む。
【００４３】
（３）の動作
さらに細線１１を引っ張り、髪止め具１０の反対側より髪１２を引き出す。
【００４４】
このように、細線１１を使用することにより、簡単に髪止め具１０に髪１２を通すことができる。
【００４５】
髪止め具１０の小孔１０ａの周辺部は弾力性を有する軟質樹脂（シリコン樹脂など）でできているため、通された髪は、この部分で締め付けられるので、抜けてしまうことはない。
【００４６】
図３は、本発明による髪止め具の使用例を示す図である。
【００４７】
本使用例は、外周部にハートマークをデザインした、髪止め具５をポニーテール用に使用した例である。
【００４８】
図４は、本発明による髪止め具の他の使用例を示す図である。
【００４９】
本使用例は、複数の髪止め具５、６を使用した例であり、自由にアレンジして髪止めできるものである。６は、外周部に花模様をアレンジしたデザインとしたものである。また、ヘアピン７と組み合わせて使用することで、より装飾性に富んだデザインを実現できるものである。
【００５０】
本例では、リング状の髪止め具は円形であったが、中央に髪を通す小孔が設けられたものであれば、外形はフレームとしての機能を果たすものであればいずれの形状でも良い。
【００５１】
また、細線についても同様であり、小孔を通すことができる程度に細い線材であればいずれでも良い。
【００５２】
また、小孔の周辺の軟質素材は、本例ではシリコン樹脂材であったが、弾性を有する軟質素材であればいずれでも良い。
【符号の説明】
【００５３】
１  外周部（硬質素材）
１ａ  外周部上部
１ｂ  外周部下部
２  小孔周辺部（軟質素材）
３  小孔
５、６  髪止め具
７  ヘアピン
１０  髪止め具
１１  細線状紐
１２  髪
【図１】
2010240040.tif 000003
【図２】
2010240040.tif 000004
【図３】
2010240040.tif 000005
【図４】
2010240040.tif 000006